(57)【要約】【課題】  スピーカを空中に浮いた状態として使用することが可能なスピーカ装置及びスピーカシステムを提供する。【解決手段】  ヘリウムガスが封入された風船１にスピーカ３０、及び、音響信号受信部３１、アンプ３２、電源バッテリ３３等の必要な機器を設け、当該風船を宙に浮かせた状態で、下方に設置したベース２から音響信号を送信し、風船１側で当該音響信号を受信してスピーカ３０から音響出力する。【選択図】  図５
2005094535.tif 000002
【特許請求の範囲】
【請求項１】
スピーカと信号受信部とが設けられ且つ内部に空気より軽い気体が封入される風船と、信号受信部に対して音響信号を送信する信号送信部を有するベースと、を備え、内部に封入された気体により浮力が与えられた風船の信号受信部に、ベースの信号送信部から音響信号を送信し、信号受信部で受信した音響信号により当該風船のスピーカから音響を出力することを特徴とするスピーカシステム。
【請求項２】
信号受信部は無線信号受信機であるとともに、信号送信部は無線信号送信機であり、
ベースから風船に対して音響信号を無線送信してスピーカから音響を出力することを特徴とする請求項１に記載のスピーカシステム。
【請求項３】
信号受信部は光信号受信機であるとともに、信号送信部は光信号送信機であり、
ベースから風船に対して音響信号を光送信し、光信号受信機が受信した音響光信号を音響電気信号に変換してスピーカから音響を出力することを特徴とする請求項１に記載のスピーカシステム。
【請求項４】
信号受信部と信号送信部とは伝送ケーブルにより接続されており、
ベースから風船に対して音響信号を伝送ケーブルを通して送信してスピーカから音響を出力することを特徴とする請求項１に記載のスピーカシステム。
【請求項５】
スピーカが設けられ且つ内部に空気より軽い気体が封入される風船と、スピーカに入力する音響信号を外部から受け付けるインタフェースと、を備え、風船内部に封入された気体により浮力が与えられることを特徴とするスピーカ装置。
【発明の詳細な説明】
【技術分野】
【０００１】
本発明は、風船の浮力によりスピーカを空中に浮いた状態として使用することが可能なスピーカ装置及びスピーカシステムに関する。
【背景技術】
【０００２】
スピーカは電気信号を音響に変換して出力する装置であり、音楽や音声等といった種々な音響を出力するために広く用いられている。例えば、家庭では音響機器の出力装置として音楽鑑賞の用途に用いられ、喫茶店等の店舗では音楽放送の出力装置としてＢＧＭ出力の用途に用いられ、イベント等の会場では音声や音楽の出力装置として用いられている。
【０００３】
スピーカ自体は、一般的に、電気音響信号の入力に応じて振動する駆動体と、当該駆動体の振動により振動する振動体とを備えた構成であり、紙等の材料で成形されたコーンと呼ばれる振動体を振動させることにより、電気音響信号を空気振動の音響に変換して出力する。
なお、近年の技術進歩により、種々な形式のスピーカも開発されており、例えば気体を封入した風船状の球体を振動体として用いるスピーカが提案されている（特許文献１及び２参照。）。また、例えば、コンピュータ機器のディスプレイ装置で用いられているように、電気音響信号の入力に応じて自ら振動するフィルム状の振動体からなるフィルムスピーカも知られており、スピーカ自体の軽量化や小型化が実現されている。
【特許文献１】特開２００２―３２０２９２号公報
【特許文献２】特開平９―２４７７９０号公報
【発明の開示】
【発明が解決しようとする課題】
【０００４】
従来のスピーカは、床や台の上に設置され、或いは、壁に取り付けられ、或いは、天井から吊り下げられて使用されている。
しかしながら、床の上に設置する場合には、スピーカの設置面積を要し、室内が煩雑となってしまうばかりか、ユーザの室内移動の邪魔にもなってしまう場合がある。
【０００５】
また、壁に取り付ける場合や天井から吊り下げる場合には、壁や天井への取り付け作業を行わなければならないばかりか、壁面や天井面に穿設した取り付け用の孔により壁や天井を傷つけてしまい、また、一旦取り付けると、取り付け位置が固定されて、スピーカの配置換えを容易に行うことができなかった。
例えば、壁や天井に傷を付けることが禁止されている賃貸アパートに居住しているような場合には、スピーカを設置するために床上の設置場所を確保するために苦労しなければならない場合があった。
【０００６】
本発明は、上記従来の事情に鑑みなされたもので、従来に比して全く新たな発想の使用態様を実現することができるスピーカ装置又はスピーカシステムを提供することを目的としている。
【課題を解決するための手段】
【０００７】
本発明に係るスピーカ装置は、スピーカを設けた風船にヘリウムガス等の空気より軽い気体を封入して浮力を与えるものであり、ケーブルを介した有線接続、或いは、電波や光の伝送による無線接続の形式のインタフェースによって、スピーカに音響信号を入力して音響出力する。
したがって、スピーカを空中に容易に設けることができ、床上での設置場所を選ばず、また、壁面や天井面に傷をつけることなく、任意の場所にスピーカ装置を設置したり移動させたりすることを容易に行うことができ、そして、例えば風船が浮遊するが如き斬新な態様でスピーカを使用することができる。
【０００８】
上記スピーカ装置を用いた本発明に係るスピーカシステムは、スピーカと信号受信部とが設けられ且つ内部に空気より軽い気体が封入される風船と、信号受信部に対して音響信号を送信する信号送信部を有するベースと、を備えて構成され、内部に封入された気体により浮力が与えられた風船の信号受信部に、ベースの信号送信部から音響信号を送信し、信号受信部で受信した音響信号により当該風船のスピーカから音響を出力する。
【０００９】
上記スピーカ装置のインタフェースの形式に応じて、本発明に係るスピーカシステムの構成は次のようなものとなる。
例えば、無線伝送形式のインタフェース構成とした場合には、本発明に係るスピーカシステムは、信号受信部を無線信号受信機とするとともに信号送信部を無線信号送信機とし、ベースから風船に対して音響信号を無線送信してスピーカから音響を出力する構成とする。
【００１０】
また、例えば、光伝送形式のインタフェース構成とした場合には、本発明に係るスピーカシステムは、信号受信部を光／電変換器等の光信号受信機とするとともに信号送信部を電／光変換器等の光信号送信機とし、ベースから風船に対して音響信号を光送信し、光信号受信機が受信した音響光信号を音響電気信号に変換してスピーカから音響を出力する。
【００１１】
また、例えば、ケーブル接続形式のインタフェース構成とした場合には、本発明に係るスピーカシステムは、信号受信部と信号送信部とは伝送ケーブル接続部であり、ベースから風船に対して音響信号を伝送ケーブルを通して送信してスピーカから音響を出力する。
【００１２】
ここで、本発明において、空気より軽い気体を封入することにより風船に与える浮力は、スピーカ等の所要な部品を設けた風船の重量を超える大きな浮力であっても、或いは、当該重量と略同等な中程度の浮力であっても、或いは、当該重量より小さい浮力であってもよい。
このように大きな浮力を与えた場合には、スピーカ等を設けた風船は或る高さまで浮上することとなるが、建物の天井に当接させたり、伝送ケーブルや別途容易にて結び付けた紐等で繋ぎ止めることにより、スピーカを中に浮いた状態で使用することができる。
【００１３】
また、上記のように中程度の浮力を与えた場合には、スピーカ等を設けた風船は空中で浮遊する状態となるが、浮上し続ける十分な浮力を有しないこととなる。また、上記のように小さな浮力を与えた場合には、スピーカ等を設けた風船は浮上するための浮力を有しないこととなる。しかしながら、この程度の浮力であっても、スピーカ等を設けた風船の重量を浮力によって軽くすることができるので、例えば天井から紐で吊り下げる等といった簡単な方法でスピーカを高所に設けることができる。すなわち、スピーカを吊るすための強固な金具やこれを取り付けるための大掛かりな工事が不要となる。
【発明の効果】
【００１４】
本発明によると、風船の浮力を利用してスピーカを空中に浮上させ或いはスピーカの重量を軽減させるようにしたため、スピーカを場所を選ばずに容易に設置して使用することができる。更に、本発明によると、あたかも風船のような形態のスピーカとなり、また、当該スピーカが中に浮いた斬新な態様で設けられるので、室内においてはインテリア用品的な装飾効果をもたらし、イベント会場においては人目を引く広告的な効果をもたらすことができる。
【発明を実施するための最良の形態】
【００１５】
本発明を実施形態に基づいて具体的に説明する。
図１は本発明の一例に係るスピーカシステムを示しており、当該スピーカシステムは、スピーカが設けられ且つ内部に空気より軽い気体（本例では、ヘリウムガス）が封入されて膨らんだ風船１と、当該風船１へ音響信号を送信するベース２とを備えている。
同図に示すスピーカシステムでは、風船１に封入されたヘリウムガスは当該風船に設けられているスピーカ等の機器も含めた重量を浮上させるに十分な浮力を与えるものであり、風船１は室内の天井に当接した状態で空中に浮いており、ベース２は当該風船１の下方の床上に設置されている。
【００１６】
風船１を側面視して表す図２及び風船１を下方から平面視して表す図３に示すように、風船１の下面中央にはスピーカ等の機器を取り付けて収容するカバー１０が取り付けられており、風船１を浮かせた状態ではカバー１０側が重いので、スピーカを備えたカバー１０は風船１の下側に位置する。
なお、図３に示す例は後述する図５に示す例に対応しており、カバー１１内に取り付けたスピーカのコーン部を覆う網状のスピーカカバー１１が設けられている。
より具体的には、図１に示すスピーカシステムは、例えば、図４及び図５に示すような無線接続インタフェース形式、又は、図６及び図７に示すような光伝送インタフェース形式、又は、図８及び図９に示すような有線接続インタフェース形式の構成で実施される。
【００１７】
図４及び図５に示す例では、風船のカバー１０内には、コーンを下方（スピーカカバー）に向けて取りつけられたスピーカ３０、無線周波数の音響信号を受信する無線信号受信機３１、無線受信した音響信号を増幅してスピーカ３０に出力するアンプ３２、これら機器３０〜３２に電力を供給するバッテリ３３が設けられており、風船１自体はビニールやゴム等の柔軟なシート材で球形に形成されて、内部に封入したヘリウムガスの浮力により、これら機器３０〜３３を浮上させるに足る容量を有している。
【００１８】
なお、風船１に設けられる機器３０〜３３は、風船１を浮上させたときに水平バランスがとれるように配置されており、スピーカ３０は浮上した風船１上でそのコーンを下方に向けた状態となる。
また、風船１には、ヘリウムガスを内部に充填するための注入チューブ１２が設けられており、当該チューブ１２から風船１内にヘリウムガスを注入して、チューブ１２の口をキャップ１３で閉止することにより、風船１の内部にヘリウムガスを封入することができる。
【００１９】
ベース２には、外部の音響機器（ステレオ、ラジオ、テレビ等）からの電気音響信号を入力する端子が設けられ、また、当該入力された電気音響信号を無線周波数に変換して送信する無線信号送信機３５が設けられている。
したがって、本例によると、床上のベース２から電気音響信号を上方の風船１に向けて無線送信することにより、この音響信号を風船１の無線信号受信機３１で受信して復調し、当該電気音響信号をアンプ３２で増幅してスピーカ３０から音響出力することができる。
【００２０】
図６及び図７に示す例では、風船のカバー１０内には、コーンを下向き側方に向けて放射状に取りつけられた複数のスピーカ４０、光音響信号を受信する光信号受信機（本例では、光／電変換器）４１、光／電変換された受信音響信号を増幅してスピーカ４０に出力するアンプ４２、これら機器４０〜４２に電力を供給するバッテリ４３が設けられており、風船１自体は上記と同様にこれら機器４０〜４３を浮上させるに足る容量を有している。
なお、風船１に設けられる機器４０〜４３は、風船１を浮上させたときに水平バランスがとれるように配置されており、放射状に配置されたスピーカ４０は浮上した風船１上でそのコーンを下向き側方に向けた状態となる。
【００２１】
ベース２には、外部の音響機器からの電気音響信号を入力する端子が設けられ、また、当該入力された電気音響信号を光信号に変換して出力する光信号送信機４５が設けられている。
したがって、本例によると、床上のベース２から電気音響信号を上方の風船１に向けて光信号の形式で送信することにより、この音響信号を風船１の光信号受信機４１で受信して電気信号に変換し、当該電気音響信号をアンプ４２で増幅してスピーカ４０から音響出力することができる。
【００２２】
図８及び図９に示す例では、風船のカバー１０内には、コーンを下向き側方に向けて放射状に取りつけられた複数のスピーカ５０、伝送ケーブル５９を各スピーカ５０に接続するために分岐する分岐器５１が設けられており、伝送ケーブル５９がカバー１０の中心部から下方へ引き出されている。
なお、風船１自体は上記と同様にこれら機器５０、５１及び伝送ケーブル５９を浮上させるに足る容量を有している。また、風船１に設けられる機器５０、５１は、風船１を浮上させたときに水平バランスがとれるように配置されており、放射状に配置されたスピーカ５０は浮上した風船１上でそのコーンを下向き側方に向けた状態となる。
【００２３】
ベース２には、外部の音響機器５８からの電気音響信号を入力する端子が設けられ、外部の電源から電力を入力する電力ケーブル５３が接続されており、また、入力された電気音響信号を外部から供給された電力によって増幅して伝送ケーブル５９に出力するアンプ５２が設けられている。
したがって、本例によると、床上のベース２から伝送ケーブル５９を通して電気音響信号を上方の風船１に向けて送信することにより、この音響信号を風船１のスピーカ４０から音響出力することができる。そして、本例では、風船１が伝送ケーブル５９によってベース２に繋がれることから、屋外においても特段に紐等で風船１を繋ぎ止めなくとも使用することができる。
【００２４】
なお、上記では風船１は内部に封入されたヘリウムガスの浮力によりそれ自身で空中に浮上するが、当該風船の大きさや風船部の重力等の関係により、このように大きな浮力を与えない態様でも本発明を実施することができる。
この場合には、例えば図１０に示すように、スピーカ等を設けた風船１を紐３により天井４から吊り下げで設置すればよく、この場合にあっても、風船１の浮力により紐３にかかる重量負担が軽減され、細紐による簡単な取り付け構造でスピーカを宙に浮いた状態で高所に設置することができる。
【００２５】
上述したスピーカシステムの機器構成の概要を説明すると、例えば図１１又は図１２に示す機器構成として把握することができる。
図１１に示す例は、図４及び図５に示した例や図６及び図７に示した例に相当するものであり、風船１側にスピーカ６０と共に必要な機器（音響信号受信部６１、アンプ６２、電源６３）を設け、ベース２側にこれ以外の必要な機器（音響信号送信部６４、音響信号入力部６５）を設けた構成である。
一方、図１２に示す例は、図８及び図９に示した例に相当するものであり、風船１側にスピーカ６０と共に最小限必要な機器（音響信号受信部６１）を設け、ベース２側にこれ以外の必要な機器（アンプ６２、電源６３、音響信号送信機６４、音響信号入力部６５）を設けた構成である。
【００２６】
これら機器構成は例示であるが、風船１の浮力が負担する重量の点では図１２に示すように風船１に設ける機器構成をできるだけ簡素にするのが好ましいと言える。これに対して、伝送ケーブル５９を用いない無線接続する態様は、無線伝送する信号レベルを抑える必要から、一般的に、受信側（風船１側）に電源やアンプを備える必要があるが、このような場合には、フィルムスピーカを採用する等によって、風船１に設ける機器を極力軽量化するのが好ましい。
【図面の簡単な説明】
【００２７】
【図１】本発明の一実施形態に係るスピーカシステムを示す図である。
【図２】本発明の一実施形態に係るスピーカ装置の側面図である。
【図３】本発明の一実施形態に係るスピーカ装置の平面図である。
【図４】本発明の一実施形態に係るスピーカシステムを示す図である。
【図５】本発明の一実施形態に係るスピーカ装置を示す断面図である。
【図６】本発明の一実施形態に係るスピーカシステムを示す図である。
【図７】本発明の一実施形態に係るスピーカ装置の要部を示す断面図である。
【図８】本発明の一実施形態に係るスピーカシステムを示す図である。
【図９】本発明の一実施形態に係るスピーカシステム及びスピーカ装置の要部断面を示す図である。
【図１０】本発明の一実施形態に係るスピーカ装置の取り付け例を説明する図である。
【図１１】本発明の一実施形態に係るスピーカシステムの機器構成例を説明する図である。
【図１２】本発明の一実施形態に係るスピーカシステムの機器構成例を説明する図である。
【符号の説明】
【００２８】
１：風船、  ２：ベース、
３：紐、  １０：カバー、
１２：注入チューブ、  １３：キャップ、
３０：スピーカ、  ３１：無線信号受信機、
３２：アンプ、  ３３：電源バッテリ、
３５；無線信号送信機、  ４０：スピーカ、
４１：光信号受信機（光／電変換器）、
４２：アンプ、４３：電源バッテリ、
４５：光信号送信機、  ５０：スピーカ、
５１：分岐器、  ５２：アンプ、
５９：伝送ケーブル、
【図１】
2005094535.tif 000003
【図２】
2005094535.tif 000004
【図３】
2005094535.tif 000005
【図４】
2005094535.tif 000006
【図５】
2005094535.tif 000007
【図６】
2005094535.tif 000008
【図７】
2005094535.tif 000009
【図８】
2005094535.tif 000010
【図９】
2005094535.tif 000011
【図１０】
2005094535.tif 000012
【図１１】
2005094535.tif 000013
【図１２】
2005094535.tif 000014